(57)【要約】【課題】　本発明は、差動駆動方式で用いられる終端抵抗により生じるＥＭＩを改善する構造の表示装置を提供することを目的とする。【解決手段】　表示装置において、差動信号伝送方式のデータを伝達する第１及び第２配線が形成されている。終端抵抗は、第１及び第２配線の間に連結されて、第１及び第２配線によって伝送される差動信号の差に応じて電圧を定義し、差動信号受信部は、終端抵抗の両端に連結されて、終端抵抗によって定義された電圧に応じてデータを受信して変換する。この時、差動信号受信部及び終端抵抗は同一な集積回路に形成される。このようにすれば、終端抵抗が印刷回路基板上に直接形成されないので、配線を形成するためのパターンが簡単になり、ＥＭＩ及びノイズを減らすことができる。【選択図】　　　図１
2004102259.tif 000002
【特許請求の範囲】
【請求項１】
　差動信号伝送方式のデータを伝達する第１及び第２配線と、
　前記第１及び第２配線の間に連結されて、前記第１及び第２配線によって伝送される差動信号の差に応じて電圧を定義する終端抵抗と、
　前記終端抵抗の両端に連結されて、前記終端抵抗によって定義された電圧に応じてデータを受信して変換する差動信号受信部とを含み、
　前記差動信号受信部及び前記終端抵抗は同一な集積回路に形成されている表示装置。
【請求項２】
　複数の画素を含む表示パネルと、
　前記差動信号受信部で変換されたデータによって前記表示パネルを駆動するための駆動信号を生成する信号制御部を備えた印刷回路基板とをさらに含み、
　前記集積回路が前記印刷回路基板上に形成されている、請求項１に記載の表示装置。
【請求項３】
　前記差動信号伝送方式はＬＶＤＳ（low voltage differential signaling）方式である、請求項２に記載の表示装置。
【請求項４】
　複数の画素を含む表示パネルと、そして
　前記表示パネルを駆動するための駆動信号を前記第１及び第２配線を通じて差動信号伝送方式で出力する信号制御部とをさらに含み、
　前記集積回路は、前記信号制御部から前記駆動信号を受信して前記表示パネルに伝達する、請求項１に記載の表示装置。
【請求項５】
　前記差動信号伝送方式はＲＳＤＳ（reduced swing differential signaling）方式である、請求項４に記載の表示装置。
【発明の詳細な説明】
【技術分野】
【０００１】
　本発明は表示装置に関するものである。
【背景技術】
【０００２】
　表示装置のうちの液晶表示装置（ＬＣＤ）は、共通電極及び色フィルターアレイなどが備えられている上部表示板と、複数の薄膜トランジスタ（ＴＦＴ）及び複数の画素電極が備えられている下部表示板とを含む。上部表示板及び下部表示板には配向膜が塗布されており、配向膜の間には液晶層が挿入されている。画素電極と共通電極とに電圧を印加すれば、二つの電極の間に電位差が生じ、これにより電場が生成され、この電場を調節することによって、液晶層の液晶分子の配列を変える。液晶分子の配列が変われば、液晶層を通過する光の透過率が変わるので、画素電極と共通電極との間の電圧差を調整することによって、所望の画像を得ることができる。
【０００３】
　画素電極と共通電極とに印加される電圧は、これを駆動して制御するための複数の回路によって選択的に伝達され、画素電極に印加される電圧は、薄膜トランジスタによってスイッチングされる。このような回路には、薄膜トランジスタを開閉するゲート信号を供給するゲート駆動部、画素電極に印加されるデータ電圧を供給するデータ駆動部、そしてゲート駆動部及びデータ駆動部を制御して、外部からの映像データをデータ駆動部に伝達するタイミング制御部などが含まれる。
【０００４】
　液晶表示装置において、データを伝送する際には多くの伝送線が必要であり、このような伝送線で多量のＥＭＩ（electro magnetic interference）が発生する恐れがある。このような問題点を解決するために、ＬＶＤＳ（low voltage differential signaling）、ＲＳＤＳ（reduced swing differential signaling）などの差動駆動方式が導入された。一般に、ＬＶＤＳは、主に他のシステムから液晶表示装置のＬＣＤモジュールにデータを伝送する時に用いられ、ＲＳＤＳは、液晶表示装置内のタイミング制御部から液晶パネルを駆動するドライバーにデータを伝送する時に用いられる。
【０００５】
　このような差動駆動方式は、データを極性が反対の正極性信号及び負極性信号として伝達する方式である。このような方式では、二つの導線の両端の電圧差によってデータを認識するので、ノイズなどによるデータの損失が減少する。また、差動駆動方式では、正極性及び負極性信号の電磁波の消去（cancellation）によってＥＭＩ放射を最小化することができる。
【０００６】
　従来は、正極性及び負極性信号の電圧差を認識するために、差動信号増幅回路の外部入力端に終端抵抗（termination resistor）を配置した。このような終端抵抗は、データカップル当り少なくとも一つずつ用いられるので、例えば、８ビットのデータ伝送では、４個のデータチャンネルと一つのクロックチャンネルが形成されるので、５個の終端抵抗が必要である。しかし、従来のように、終端抵抗を差動信号増幅回路が形成される集積回路（ＩＣ）の外部に位置させると、集積回路及び終端抵抗が形成される印刷回路基板の大きさなどには制限があるため、終端抵抗が集積回路から遠く離れて実装されなければならない。そうなると、印刷回路基板を設計する際の回路設計上の問題点が生じ、また、印刷回路基板に形成される伝送線のパターン屈曲及び距離が増加するため、ＥＭＩが再び多く発生してしまう。
【発明の開示】
【発明が解決しようとする課題】
【０００７】
　本発明が目的とする技術的課題は、差動駆動方式で用いられる終端抵抗の問題点を改善する構造の表示装置を提供することにある。
【課題を解決するための手段】
【０００８】
　このような課題を解決するために、本発明は、終端抵抗を集積回路内部に位置させる。
　本発明による表示装置には、差動信号伝送方式のデータを伝達する第１及び第２配線が形成されている。終端抵抗は、第１及び第２配線の間に連結されて、第１及び第２配線によって伝送される差動信号の差に応じて電圧を定義し、差動信号受信部は、終端抵抗の両端に連結されて、終端抵抗によって定義された電圧に応じてデータを受信して変換する。この時、差動信号受信部及び終端抵抗は同一な集積回路に形成される。
【０００９】
　本発明の一実施例によれば、差動信号受信部及び前記終端抵抗が形成された集積回路は、信号制御部が形成された印刷回路基板上に形成されている。信号制御部は、差動信号受信部で変換されたデータによって表示パネルを駆動するための駆動信号を生成する。この時、差動信号伝送方式はＬＶＤＳ方式であるのが好ましい。
　本発明の他の実施例によれば、終端抵抗及び差動信号受信部は駆動集積回路に形成されている。信号制御部は、表示パネルを駆動するための駆動信号を差動信号伝送方式で出力し、駆動集積回路は、信号制御部からの駆動信号が終端抵抗及び差動信号受信部で変換された信号を受信して表示パネルを駆動する。この時、差動信号伝送方式はＲＳＤＳ方式であるのが好ましい。
【発明の効果】
【００１０】
　本発明によれば、終端抵抗を差動信号受信端と同一な集積回路に形成することにより、印刷回路基板に配線を形成するためのパターンが簡単になる。パターンが簡単になることにより、パターンの長さが長くなることによって発生するＥＭＩ及びノイズを減らすことができる。そして、印刷回路基板に終端抵抗を形成する必要がないので、印刷回路基板の空間の制約が減り、基板の回路設計を簡単にすることができる。
【発明を実施するための最良の形態】
【００１１】
　以下では、添付した図面を参考にして、本発明の実施例について、本発明の属する技術分野で通常の知識を有する者が容易に実施できるように詳細に説明する。しかし、本発明は多様な相異する形態で具現されることができ、ここで説明する実施例に限定されない。
　図面では、層及び領域を明確に表現するために、厚さを拡大して示した。明細書全体を通して類似した部分については同じ図面符号を付けた。層、膜、領域、板などの部分が他の部分の“上にある”とする場合には、他の部分の直ぐ上にある場合だけでなく、その中間に他の部分がある場合も意味する。反対に、ある部分が他の部分の“真上にある”とする場合には、中間に何もないことを意味する。
【００１２】
　それでは、本発明の実施例による表示装置について、図面を参考にして、詳細に説明する。特に、表示装置の中でも液晶表示装置を例に挙げて説明する。
　まず、図１及び図２を参照して、本発明の実施例による液晶表示装置の概略的な構造について説明する。
　図１は本発明の実施例による液晶表示装置の概略的な構造を示す平面図であり、図２は本発明の実施例による差動信号受信部を示す図である。
【００１３】
　図１に示したように、本発明の実施例による液晶表示装置は、液晶パネル１００、ゲート印刷回路基板（ＰＣＢ）２００、データ印刷回路基板３００、複数のゲートテープキャリアパッケージ（ＴＣＰ）４００及び複数のデータテープキャリアパッケージ５００を含む。ゲートテープキャリアパッケージ４００は、液晶パネル１００及びゲート印刷回路基板２００に付着され、データテープキャリアパッケージ５００は、液晶パネル１００及びデータ印刷回路基板３００に付着される。ゲート印刷回路基板２００及びデータ印刷回路基板３００は、二つの印刷回路基板２００、３００の間で信号の伝達が可能なように電気的に連結されている。そして、ゲート印刷回路基板２００及びデータ印刷回路基板３００は、各々液晶パネル１００の左側及び上側の外部分に配置されている。
【００１４】
　液晶パネル１００は、横方向に延びている複数のゲート線（Ｇ）、縦方向に延びている複数のデータ線（Ｄ）、そしてゲート線（Ｇ）及びデータ線（Ｄ）に連結されている複数の画素を含む。
　各画素は、ゲート線（Ｇ）及びデータ線（Ｄ）に連結されたスイッチング素子（Ｑ）、これに連結された液晶蓄電器（liquid crystal capacitor）（ＣLC）、及び維持蓄電器（storage capacitor）（ＣST）を含む。維持蓄電器（ＣST）は必要に応じて省略することができる。
【００１５】
　スイッチング素子（Ｑ）は、薄膜トランジスタなどの三端子素子であって、その制御端子及び入力端子は各々ゲート線（Ｇ）及びデータ線（Ｄ）に連結されており、出力端子は液晶蓄電器（ＣLC）及び維持蓄電器（ＣST）に連結されている。
　液晶蓄電器（ＣLC）は、画素電極（図示せず）及び共通電極（図示せず）を含み、二つの電極の間の液晶層（図示せず）を誘電体として含む。画素電極はスイッチング素子（Ｑ）に連結され、共通電極には共通電圧が印加される。
【００１６】
　液晶蓄電器（ＣLC）の補助的な役割をする維持蓄電器（ＣST）は、共通電圧などの決められた電圧が印加される別個の信号線（図示せず）及び画素電極を含む。しかし、維持蓄電器（ＣST）は画素電極及び真上にある前端ゲート線を含むことができる。
　データ印刷回路基板３００には差動信号受信部３１０及び信号制御部３２０が備えられるが、これらは、必要に応じて、ゲート印刷回路基板２００に備えられることもできる。また、ゲート印刷回路基板２００には、ゲートオン電圧、ゲートオフ電圧、及び基準電圧を生成する駆動電圧生成部（図示せず）などが備えられており、データ印刷回路基板３００には、階調電圧を生成する階調電圧生成部（図示せず）などが備えられている。ゲート印刷回路基板２００及びデータ印刷回路基板３００のうちの少なくとも一つは省略することができ、この場合、関連される回路及び信号経路は液晶パネル１００上に形成されることができる。
【００１７】
　ゲートテープキャリアパッケージ４００及びデータテープキャリアパッケージ５００には、各々ゲート駆動集積回路（ＩＣ）４１０及びデータ駆動集積回路５１０がチップなどの形態で装着されている。ゲートテープキャリアパッケージ４００及びデータテープキャリアパッケージ５００は、各々ゲート印刷回路基板２００及びデータ印刷回路基板３００に各々接着されて電気的に連結されており、また、液晶パネル１００にも接着されて液晶パネル上のゲート線及びデータ線に電気的に連結されている。これとは異なって、ゲート駆動集積回路４１０及び／またはデータ駆動集積回路５１０は液晶パネル１００の基板に直接装着されることもでき、これをＣＯＧ（chip on glass）方式という。
【００１８】
　差動信号受信部３１０は、差動信号伝送方式で信号を伝送するシステム（図示せず）から差動信号伝送方式のデータ信号及びクロック信号を受信して、元来の信号に変換した後、信号制御部３２０に出力する。このような差動信号伝送方式としてＬＶＤＳ方式、ＲＳＤＳ方式などを用いることができ、現在は主にＬＶＤＳ方式が用いられている。信号制御部３２０は、複数のＲＧＢ映像信号をデータ駆動集積回路５１０に供給し、ゲート及びデータ駆動集積回路４１０、５１０を駆動するための制御信号を印刷回路基板２００、３００を通じてゲート及びデータ駆動集積回路４１０、５１０に供給する。ゲート駆動集積回路４１０は、ゲートオン電圧及びゲートオフ電圧に基づいて走査信号を生成し、信号制御部３２０からの制御信号に合せて走査信号をゲート線に印加する。データ駆動集積回路５１０は、信号制御部３２０からの映像信号に基づいて階調電圧生成部の階調電圧を選択し、信号制御部３２０からの制御信号に合せて画像信号をデータ線に印加する。
【００１９】
　この時、図２に示したように、差動信号受信部３１０は、差動信号を伝送する一対の配線の間に連結された終端抵抗３１２と、終端抵抗３１２で認識された電圧に応じて信号を受信する差動信号受信端３１４とを含む。極性が反対である差動信号が二つの配線を通じて伝送される場合に、差動信号間の電流が正から負へ流れながら終端抵抗３１２で電圧が定義される。本発明の実施例によれば、このような終端抵抗３１２は、差動信号受信端３１４と同一な集積回路に実装されている。つまり、終端抵抗３１２及び差動信号受信端３１４を含む差動信号受信部３１０が一つの集積回路に形成されている。そして、終端抵抗３１２が実装された差動信号受信部３１０及び信号制御部３２０が同一な集積回路に形成されることもできる。
【００２０】
　このように、終端抵抗３１２が差動信号受信部３１０が形成された集積回路に実装されれば、終端抵抗３１２をデータ印刷回路基板３００に応じて実装する必要がない。したがって、終端抵抗３１２をデータ印刷回路基板３００に形成することによって配線パターンの長さが長くなることと、パターンの長さが長くなることによって発生するノイズとを除去することができる。また、接触孔（via）によって形成される不必要な経路を除去することができるのでデータ印刷回路基板３００の設計が容易になる。
【００２１】
　本発明の実施例で説明したように、終端抵抗を差動信号受信部と同一な集積回路に形成する方式は、液晶表示装置において差動信号方式で伝送される信号を受信する受信部には全て適用できる。
　以下では、差動信号を受信するデータ駆動集積回路５１０について、図３を参照して説明する。
【００２２】
　図３は、本発明の実施例による信号制御部及びデータ駆動集積回路を示す図である。
　図３に示したように、信号制御部３２０は、差動信号伝送部３２２を通じてＲＧＢ映像信号を差動信号伝送方式でデータ駆動集積回路５１０に伝送する。この時、差動信号伝送方式としてＲＳＤＳ方式などを用いることができる。データ駆動集積回路５１０には、差動信号伝送部３２２から伝送される差動信号方式のＲＧＢ映像信号を受信して変換する差動信号受信部５２０が形成されている。この時、差動信号受信部５２０には、差動信号方式のＲＧＢ映像信号に応じて電圧を定義する終端抵抗５２２と、終端抵抗５２２で定義された電圧に応じてＲＧＢ映像信号を受信する差動信号受信端５２４とが形成されている。つまり、終端抵抗５２２が差動信号受信端５２４と共にデータ駆動集積回路５１０に形成されているので、配線を形成するパターンが簡単になる。
【００２３】
　本発明の実施例では、液晶表示装置において信号制御部に信号を伝達する差動信号受信部とデータ駆動集積回路に形成される差動信号受信部とを例に挙げて説明した。しかし、本発明はこれに限定されず、差動信号方式のデータを受信する全ての表示装置に適用できる。
　以上で、本発明の好ましい実施例について詳細に説明したが、本発明の権利範囲はこれに限定されず、本発明の請求の範囲で定義している本発明の基本概念を利用した当業者のいろいろな変形及び改良形態もまた本発明の権利範囲に属する。
【図面の簡単な説明】
【００２４】
【図１】本発明の実施例による液晶表示装置の概略的な構造を示す平面図である。
【図２】本発明の実施例による差動信号受信部を示す図である。
【図３】本発明の実施例による信号制御部及びデータ駆動集積回路を示す図である。
【符号の説明】
【００２５】
１００　液晶パネル
２００、３００　印刷回路基板
３１０、５２０　差動信号受信部
３１２、５２２　終端抵抗
３１４、５２４　受信端
３２０　信号制御部
３２２　差動信号送信部
４００、５００　テープキャリアパッケージ
４１０、５１０　駆動集積回路
【図１】
2004102259.tif 000003
【図２】
2004102259.tif 000004
【図３】
2004102259.tif 000005